(57)【要約】【課題】設置が容易な照明器具を提供する【解決手段】  設置面と平行な方向に向けて開口する収容空間を有する長尺状の照明器具本体と、照明器具本体の長手方向に沿って収容空間に収容され、照明器具本体の外部に向けて照明光を照射する長尺状の光源ユニットとを備え、照明器具本体は、収容空間を形成する背面部、底面部及び前面部を有し、背面部は、設置面に取り付け可能に構成されており、背面部及び底面部は、一体として形成されており、前面部は、背面部の高さよりも低い。【選択図】図５
2019164917.tif 000002
【特許請求の範囲】
【請求項１】
設置面と平行な方向に向けて開口する収容空間を有する長尺状の照明器具本体と、
前記照明器具本体の長手方向に沿って前記収容空間に収容され、該照明器具本体の外部に向けて照明光を照射する長尺状の光源ユニットと
を備え、
前記照明器具本体は、前記収容空間を形成する背面部、底面部及び前面部を有し、
前記背面部は、前記設置面に取り付け可能に構成されており、
前記背面部及び前記底面部は、一体として形成されており、
前記前面部は、前記背面部の高さよりも低い
ことを特徴とする照明器具。
【請求項２】
前記前面部の上端部に回動自在に取り付けられたフラップを更に備え、
前記フラップは、前記底面部と対向する閉状態と、該閉状態よりも前記底面部から離間した開状態との間において回動可能に構成されている
ことを特徴とする請求項１に記載の照明器具。
【請求項３】
前記フラップは、前記照明器具本体の長手方向と同方向に延びる長尺な板状に形成されており、長手方向に延びる縁のうち一方の縁が、前記前面部の前記上端部に回動自在に取り付けられ、他方の縁が、前記底面部に向かって屈曲している
ことを特徴とする請求項２に記載の照明器具。
【請求項４】
前記フラップは、長手方向に延びる縁のうち一方の縁に、長手方向に沿って延びる円柱状に形成された支持軸を有しており、
前記前面部の前記上端部は、前記フラップの前記支持軸が回動自在な状態で嵌合可能な凹状に形成されており、
前記支持軸は、前記前面部の前記上端部に向けて開口し、かつ、軸方向に沿って延びる切欠きを有しており、
前記照明器具本体は、前記支持軸の前記切欠き内に挿入された線バネを備え、
前記線バネは、前記閉状態及び前記開状態において前記フラップを前記前面部の前記上端部に対して付勢することが可能な湾曲形状を有している
ことを特徴とする請求項２又は３に記載の照明器具。
【請求項５】
前記背面部には、前記照明器具本体を前記設置面に取り付けるための締結手段が取り付けられる取付穴が形成されており、
前記取付穴は、前記照明器具本体の長手方向沿って複数形成されている
ことを特徴とする請求項１〜４いずれか１項に記載の照明器具。
【請求項６】
前記照明器具本体の長手方向の端部に装着可能に構成された連結部材を更に備え、
前記連結部材は、隣接する照明器具本体同士を互いに連結可能に構成されている
ことを特徴とする請求項１〜５いずれか１項に記載の照明器具。
【請求項７】
前記光源ユニットは、前記照明器具本体に対して着脱可能に構成されている
ことを特徴とする請求項１〜６いずれか１項に記載の照明器具。
【発明の詳細な説明】
【技術分野】
【０００１】
本明細書は、照明器具に関する。
【背景技術】
【０００２】
一般的な照明器具は、外観を担う部分と、その部分を含めた本体を壁等に予め位置決めし固定するための取付金具とに分かれているものが多い。そのような照明器具は、まずは取付金具を壁や天井等の設置面にねじで固定した後、取付金具に予め固定された本体固定用ねじを本体に設けられた穴に通し、袋ナットを施行者が手で締めこんで本体を固定することにより設置している。
【０００３】
近年、照明器具として、間接照明器具が利用されるケースが増えている。間接照明器具とは、ＬＥＤ等の光源からの光を反射面に反射させ、この反射光（間接光）によって室内を照らす照明器具である（特許文献１）。間接照明器具に関しても、上記の取付金具を予め設置面に固定した後、その取付金具に本体を設置させるタイプのものが一般的である。
【先行技術文献】
【特許文献】
【０００４】
【特許文献１】特開２０１１−１０８４９６号公報
【発明の概要】
【発明が解決しようとする課題】
【０００５】
しかしながら、上記の照明器具では、天井や壁面に近い場所への取り付けによっては、施行者の手を入れる空間が狭くなり、取付しづらい場合がある。また、長尺状の照明器具を複数台直列に連結して取り付ける（連設する）場合、複数の取付金具を予め設置面に固定してから本体を取り付けるので、本体同士に隙間ができたり、微妙なずれが生じる恐れがあり、設置前後で設置イメージに齟齬が生じる恐れがある。その結果、照明器具を直線状に設置する必要がある場合、何度も取付金具の調整が必要となり、作業性が悪くなる。
【０００６】
そこで、取付金具と照明器具本体を一体化することが考えられる。この場合、本体の位置決めと固定を同時に行うことができるので、照明器具の設置後の配置にずれが生じることがなくなり、設置前後で設置イメージに齟齬が生じる恐れがなくなることが期待される。
【０００７】
しかしながら、このような取付金具と本体とを一体化した照明器具の場合、設置面へ固定する構造が複雑になる。例えば、一体化した照明器具を設置面に固定するために、直接大ねじをドライバー等で締め込む場合、照明器具の前面側に、大ねじ及びドライバーを通す開口部を設ける必要があり、従来の分離型の照明器具と比べて、その構造が複雑で外観のデザインにも影響を与える恐れがある。
【０００８】
上記課題に鑑みて、本発明は、設置が容易な照明器具を提供する。
【課題を解決するための手段】
【０００９】
本発明の一側面に係る照明器具は、設置面と平行な方向に向けて開口する収容空間を有する長尺状の照明器具本体と、前記照明器具本体の長手方向に沿って前記収容空間に収容され、該照明器具本体の外部に向けて照明光を照射する長尺状の光源ユニットとを備え、前記照明器具本体は、前記収容空間を形成する背面部、底面部及び前面部を有し、前記背面部は、前記設置面に取り付け可能に構成されており、前記背面部及び前記底面部は、一体として形成されており、前記前面部は、前記背面部の高さよりも低いことを特徴とする。
【００１０】
前記照明器具は、前記前面部の上端部に回動自在に取り付けられたフラップを更に備え、前記フラップは、前記底面部と対向する閉状態と、該閉状態よりも前記底面部から離間した開状態との間において回動可能に構成されることが好ましい。この場合において、前記フラップは、前記照明器具本体の長手方向と同方向に延びる長尺な板状に形成されており、長手方向に延びる縁のうち一方の縁が、前記前面部の前記上端部に回動自在に取り付けられ、他方の縁が、前記底面部に向かって屈曲していることが更に好ましい。
【００１１】
また、前記フラップは、長手方向に延びる縁のうち一方の縁に、長手方向に沿って延びる円柱状に形成された支持軸を有しており、前記前面部の前記上端部は、前記フラップの前記支持軸が回動自在な状態で嵌合可能な凹状に形成されており、前記支持軸は、前記前面部の前記上端部に向けて開口し、かつ、軸方向に沿って延びる切欠きを有しており、前記照明器具本体は、前記支持軸の前記切欠き内に挿入された線バネを備え、前記線バネは、前記閉状態及び前記開状態において前記フラップを前記前面部の前記上端部に対して付勢することが可能な湾曲形状を有していることが好ましい。
【００１２】
前記照明器具において、前記背面部には、前記照明器具本体を前記設置面に取り付けるための締結手段が取り付けられる取付穴が形成されており、前記取付穴は、前記照明器具本体の長手方向沿って複数形成されることが好ましい。
【００１３】
前記照明器具は、前記照明器具本体の長手方向の端部に装着可能に構成された連結部材を更に備え、前記連結部材は、隣接する照明器具本体同士を互いに連結可能に構成されるとしても良い。
【００１４】
前記照明器具において、前記光源ユニットは、該照明器具本体に対して着脱可能に構成されることが好ましい。
【発明の効果】
【００１５】
本発明によれば、本発明は、設置が容易な照明器具を提供することができる。
【図面の簡単な説明】
【００１６】
【図１】本実施形態に係る照明器具の設置例を示す図である。
【図２】本実施形態における照明器具の概略構成を示す斜視図である。
【図３】図２のＡ−Ａ´線に沿った断面を拡大して概略的に示す拡大断面図である。
【図４】フラップの開状態及び閉状態を示す図である。
【図５】本実施形態における照明器具の分解図である。
【図６】本実施形態における照明器具の設置方法を説明する図である。
【図７】本実施形態における照明器具本体を直列に連結して設置する方法を説明する図である。
【発明を実施するための形態】
【００１７】
次に、本発明の実施形態に係る照明器具について、図面に基づいて説明する。なお、以下の説明では、設置箇所として壁を例に挙げて説明するが、これに限定されるものではなく、本発明に係る照明器具は、壁以外にも、例えば天井等の種々の設置箇所に取り付け可能である。
【００１８】
図１は、本実施形態に係る照明器具の設置例を示す図である。照明器具１は、ＬＥＤ等の光源からの光を反射面に反射させ、この反射光（間接光）によって室内を照らす間接照明器具である。照明器具１は、設置面と平行な方向に向けて開口する収容空間を有する長尺状の照明器具本体１０と、照明器具本体１０の長手方向に沿って収容空間に着脱可能に収容され、照明器具本体１０の外部に向けて照明光を照射する長尺状の光源ユニット２０と、照明器具本体１０の長手方向の両端部を閉塞する端部キャップ３０（３０ａ，３０ｂ）とを備えている。
【００１９】
照明器具１は、露出している光源ユニット２０が上面側に向くように壁面２に設置された場合には、図１（ａ）に示すように、光源ユニット２０からの照明光を天井３で反射させ、室内を間接的に照らすことが可能に構成されている。一方、照明器具１は、露出している光源ユニット２０が壁面２側に向くように天井３に設置された場合には、図１（ｂ）に示すように、光源ユニット２０からの照明光を壁面２で反射させ、室内を間接的に照らすことが可能に構成されている。
【００２０】
図２は、本実施形態における照明器具の概略構成を示す斜視図である。図３は、図２のＡ−Ａ´線に沿った断面を拡大して概略的に示す拡大断面図である。図４（ａ）は、フラップの開状態、すなわち、光源ユニット２０から照射される光が照明器具本体１０の後述する前面部１２ａ側へ漏れないように遮ることができる高さまでフラップ１１が回動した状態を示す図であり、図４（ｂ）は、フラップの閉状態、すなわち、フラップ１１が照明器具本体１０の後述する底面部１２ｂ，１２ｃと対向するよう折り畳まれた状態を示す図である。図５は、本実施形態における照明器具の組み立て手順の概要を示す図である。
【００２１】
光源ユニット２０は、ＬＥＤ（light emitting diode）等の光源が直線状に複数配置された基板と、該基板を収容可能に構成され、かつ、光源から発せられた光を透過させることが可能に構成された長尺状の筐体とを備えている。照明器具本体１０は、図２に示すように、取付ねじ４０等の種々の固定手段によって設置面に固定されるベース部材１２と、倒したり起き上がらせたりする（開閉動作）ことが可能なフラップ１１と、光源ユニット２０を保持する１以上の取付バネ１３とを備えている。
【００２２】
図３に示すように、Ａ−Ａ´線に沿った断面方向から見た場合、照明器具１は、略直角台形状の形状で構成されている。ベース部材１２は、押出成形や、長尺状の金属製板材に曲げ加工及び穴あけ加工等の板金加工を施すことにより形成されており、図３に示すように、概ね、前面部１２ａ、底面部（外底部１２ｂ及び内底部１２ｃ）並びに背面部１２ｄを有している。これら前面部１２ａ、底面部１２ｂ，１２ｃ及び背面部１２ｄは、互いに一体として形成されており、光源ユニット２０を収容する収容空間を形成するよう構成されている。
【００２３】
背面部１２ｄは、図５に示すように、長手方向に沿って複数の取付穴１２ｅが開けられており、取付ねじ４０を、取付穴１２ｅに通して、壁を支持する柱や筋交いまたは天井裏に構築された水平筋交い等に固定することが可能に構成されている。複数の取付穴１２ｅは、ベース部材１２の長手方向全域に亘って所定の間隔をおいて形成されている。なお、本実施形態では、取付穴１２ｅは、長手方向に長辺の長さが異なる２種類の角丸四角形が交互に開けられているが、穴の形状、種類の数はこれに限定されるものではない。
【００２４】
前面部１２ａは、その上端部においてフラップ１１を回動自在に取り付け可能に構成されている。具体的には、フラップ１１は、照明器具本体１０の長手方向と同方向に延びる長尺な板状に形成され、長手方向に延びる縁のうち一方の縁に、長手方向に沿って延びる円柱状に形成された支持軸１５を有しており、前面部１２ａの上端部が、フラップ１１の支持軸１５を回動自在な状態で嵌合させることが可能な凹状に形成されている。換言すれば、前面部１２ａは、フラップ１１の開閉動作を行うためにフラップ１１の長手方向に延びる側の一方の端部を回動可能な支持軸１５として支持する端部軸受け構造部である。前面部１２ａは、背面部１２ｄの高さよりも低くなるよう形成されている。具体的には、前面部１２ａの高さは、倒した状態（閉状態）のフラップ１１の最も高い部分と略同じ高さであって、背面部１２ｄの高さの半分にも満たない。Ａ−Ａ´線に沿った断面方向から見た場合、フラップ１１の支持軸１５側ではない他端側は、フラップ１１の平面方向に対して、略直角方向に下方側（底面部１２ｂ，１２ｃに向かう方向）に屈曲している。これにより、フラップ１１の強度を補強している。
【００２５】
支持軸１５には、前面部１２ａの上端部に向けて開口し、かつ、軸方向に沿って延びる切り欠き１５ａが設けられている。図３に示すように、切り欠き１５ａは、フラップ１１の開閉に関して、一定の状態に設定する形状になるように、切り込みの最深部は略ハート型形状のような２つの窪みが形成されるように切り込まれている。切り欠き１５ａには、フラップ１１の閉状態及び開状態において、フラップ１１を前面部１２ａの上端部に対して付勢することが可能な湾曲形状を有する線バネ１６が挿入されている。線バネ１６は、その付勢力によってフラップ１１を開状態及び閉状態においてそれぞれ位置決めするよう構成されている。
【００２６】
すなわち、図４（ａ）に示すように、フラップ１１を立ち上げると、支持軸１５がその立ち上げ方向側に回転すると共に同心円の切り欠き１５ａも同様に回転する。これにより、切り込みの最深部の２つの窪みも同様に回転し、線バネ１６は２つの窪みのうちより回転方向後方側（開き方向後方側）にある窪みの方に落ち込み、落ち込んだ窪みの内壁を圧迫することで、フラップ１１の開いた状態を保持する。
【００２７】
また、図４（ｂ）に示すように、フラップ１１を倒すと、支持軸１５がその倒す方向側に回転すると共に同心円の切り欠き１５ａも同様に回転する。これにより、切り込みの最深部の２つの窪みも同様に回転し、線バネ１６は２つの窪みのうちより回転方向後方側（閉じ方向後方側）にある窪みの方に落ち込み、落ち込んだ窪みの内壁を圧迫することで、フラップ１１の閉じた状態を保持する。
【００２８】
図３に示すように、フラップ１１の長手方向の両末端には、光漏れ対策用パッキン１１ａが設けられている。光漏れ対策用パッキン１１ａは、例えばスポンジパッキンでもよい。
【００２９】
ベース部材１２の底面部は、外底部１２ｂと内底部１２ｃから形成される二重底構造を有しており、その二重底間には、端部キャップ３０（３０ａ，３０ｂ）をはめ込むためのスペース（端部差込口１７）がある。内底部１２ｃの上面には、１以上の取付バネ１３を取り付けるために、図５に示すように、照明器具本体１０の長手方向に沿ってレール１４が設けられている。取付バネ１３は、レール１４に沿ってスライド可能な状態で、レール１４に取り付けられている。
【００３０】
取付バネ１３は、レール１４に沿ってスライド可能に配置されている。取付バネ１３は、略断面コの字形状を有しており、光源ユニット２０を挟み込んで着脱自在に保持することが可能に構成されている。光源ユニット２０の長手方向の端には、電源ケーブル（不図示）と接続するためのコネクタ２１が設けられている。
【００３１】
次に図６を用いて、本実施形態における照明器具の設置方法を説明する。図６（ａ）に示すように、初期状態では、フラップ１１は倒れた状態（閉じた状態）となっている。この場合、照明器具本体１０の正面方向（前面部１２ａから背面部１２ｄへ向かう方向）から見ると、ベース部材１２の背面部１２ｄに開けられた取付穴１２ｅを遮るものがないため、容易に取付ねじ４０を取付穴１２ｅに通すことができると共に、取付ねじ４０を締めるドライバーも容易に導入することができる。また、取付穴１２ｅが背面部１２ｄの長手方向に複数開けられているので、設置面において取付ねじ４０をねじ込むポイントに容易にねじを導入することの自由度が高い。その結果、ベース部材１２の設置態様の自由度も高くなり、位置決めも、設置面の裏側にある柱や筋交い等に制限されにくくなる。また、背面部１２ｄに複数の取付穴１２ｅを開けることで、ベース部材１２の軽量化が図られ、ベース部材１２を設置面に取り付ける際の作業負担の軽減につながる。
【００３２】
ベース部材１２を壁面２等の設置面にて位置決めした後、取付ねじ４０にてベース部材１２を設置面に固定する。その後、レール１４に沿って取付バネ１３をスライドさせて位置決めし、図６（ｂ）に示すように、光源ユニット２０を取付バネ１３にてレール１４上に固定する。
【００３３】
その後、図６（ｃ）に示すように、フラップ１１を立ち上げる。ここで、フラップ１１は、ベース部材１２に設置された光源ユニット２０の高さよりも高くなる所定位置に立ち上がるよう、その可動域が調整されており、これにより、照明器具本体１０の正面方向から見た場合に光源ユニット２０を目隠しできるよう構成されている。フラップ１１を立ち上げた後、照明器具本体１０の両端に、端部キャップ３０（３０ａ，３０ｂ）を装着する。
【００３４】
次に、図７を用いて、本実施形態における照明器具本体１０を直列に連結して設置する方法を説明する。なお、図７において、連結する他方の照明器具１の構成を示す符号には、「’」を付与している。複数の照明器具本体１０を直列に連結して設置する場合には、図６（ｃ）にて照明器具本体１０の両端に、端部キャップ３０（３０ａ，３０ｂ）を装着する代わりに、図７（ａ）に示すように連結パーツ５０（連結部材）を装着する。
【００３５】
連結パーツ５０は、照明器具本体１０の長手方向の端部に装着可能に構成され、かつ、隣接する照明器具本体１０，１０’同士を互いに連結可能に構成されている。具体的には、連結パーツ５０は、照明器具本体１０の外底部１２ｂと内底部１２ｃとの間のスペースに適合する左右対称の突起部分５０ａと、その中央に垂直に立設された仕切り板５０ｂ，５０ｃとを有している。
【００３６】
連結パーツ５０の底部にある突起部分５０ａが、連結する一方の照明器具本体１０の端部差込口１７に差し込まれ（図７（ａ））、反対側の突起部分５０ａが、連結する他方の照明器具本体１０’の端部差込口１７’に差し込まれる（図７（ｂ））。Ａ−Ａ´線に沿った断面方向から見た場合、上述したように、照明器具１は、略直角台形状で構成されているが、連結パーツ５０は、その略直角台形状のサイズよりもわずかに小さく形成されている。これにより、連結パーツ５０は、照明器具本体１０，１０’同士を連結した場合に照明器具１の外表面上にはみ出して露出しないよう構成されている。
【００３７】
連結パーツ５０を介して照明器具本体１０，１０’同士を連結後、図７（ｃ）に示すように、光源ユニット２０’をレール１４’に沿って、取付バネ１３’にはめ込む。なお、隣接する光源ユニット２０，２０’の端同士は、光源ユニット２０から引き出し可能なコネクタ２１を介して接続する。
【００３８】
連結パーツ５０を介して照明器具本体１０，１０’同士を連結し、かつ、光源ユニット２０，２０’の端同士を連結した後、図７（ｄ）に示すように、フラップ１１’を立ち上げる。以上の手順により、二以上の照明器具本体１０，１０’を長手方向に沿って連設（直列配置）させることができる。
【００３９】
以上説明したとおり、本実施形態における照明器具１は、設置面に取り付けられる長尺状の照明器具本体１０と、照明器具本体の長手方向に沿って、照明器具本体１０に配置される長尺状の光源ユニット２０と、を備え、照明器具本体１０において、設置面に対向し、複数の取付穴１２ｅが開けられている背面部１２ｄと、光源ユニット２０を保持する底面部１２ｂ，１２ｃと前面部１２ａとが一体的に形成され、前面部１２ａの高さは該背面部よりも低い構成となっている。
【００４０】
このように構成することにより、設置が容易でかつ設置前後で設置イメージに齟齬がない照明器具を提供することができる。すなわち、本実施形態における照明器具１は、前面部１２ａの高さが該背面部よりも低い構成となっていることにより、背面部１２ｄに開けられた取付穴１２ｅに取付ねじ４０を通しやすく、かつ、取付ねじ４０を取り付けるためのドライバーも通しやすいという利点を有する。これにより、天井や壁面に近い場所への取付であっても、施行者が取り付け易く、設置時の作業性が向上するという効果がある。また、固定時に位置の調整を行うことができるため、何度も調整を行う手間を省くことができる。また、複数の取付穴１２ｅを設けているので、照明器具１単体だけでなく連結設置した場合でも、間柱や筋交いのピッチに合わせ、取付ねじ４０にて固定することができる。これにより、間柱のピッチと合わない場合に設置する補強材を事前に準備する必要がない。さらに、背面部１２ｄに複数の取付穴１２ｅを設けることにより、照明器具１の軽量化を図ることができる。
【００４１】
照明器具１は、さらに、長手方向と同方向に延びる縁のうち一方の縁が支持軸１５として回動可能に支持されるフラップ１１を備え、前面部１２ａは、フラップの支持軸１５を回動可能に支持する端部軸受け構造部であり、フラップ１１は、光源ユニット２０から照射される光が前面部１２ａ側へ漏れないように遮ることができる高さまで回動可能である。
【００４２】
このように構成することにより、光源ユニット２０から照射される光が前面部１２ａ側へ漏れないように遮ることができると共に、光を照明器具本体１０の上方に照射することができる。すなわち、照明器具本体１０を固定する場合にはフラップを下げておき、固定後にフラップを起こすことで、照明器具１の外観にも配慮している。
【００４３】
フラップ１１の長手方向と同方向に延びる縁のうち他方の縁が、フラップ１１の面に対して略直角に該フラップが倒れる方向に屈曲している。このように構成することにより、フラップ１１の強度を補強することができる。すなわち長尺状のフラップが歪みやすい欠点を補うことができる。なお、歪み対策のリブ位置及び数は任意である。
【００４４】
照明器具１は、さらに、当該照明器具１同士の長手方向の末端を連結することにより、当該照明器具同士を直列に連結する連結部材（連結パーツ５０）を備えてもよい。このように構成することにより、照明器具１を直列に連結することができる。このとき、長尺状の照明器具１を連結する場合には、固定時に位置の調整を行うことができるため、何度も調整を行う手間を省くことができる。
【００４５】
照明器具１は、さらに、線バネ１６を備え、フラップ１１が倒れている状態及び光源ユニット２０から照射される光が前面部側へ漏れないように遮ることができる高さまで立ち上がっている状態のうち一方の状態になるように最深部に２つの窪みが形成されるように切り込みを支持軸１５に対して軸方向に入れ、線バネ１６の付勢力により線バネ１６が切り込みの形状に沿って、一方の状態を保持する。このように構成することにより、フラップ１１が立ち上がっている状態または倒れている状態を保持することができる。
【００４６】
光源ユニット２０は、照明器具本体１０に着脱可能に配置されている。このように構成することにより、光源ユニット２０の交換が容易になる。
【００４７】
また、照明器具本体１０及びフラップ１１は、アルミニウムで形成されていてもよい。本実施形態では一例としてアルミニウムの押出成形によってできたフラップを採用している。また、照明器具本体１０もアルミニウムの押出成形にて形成されており、アルミニウムの放熱効果によって、ＬＥＤの放熱効果も期待できる。
【００４８】
本発明に係る照明器具は、上述した実施形態に限定されるものではなく、本発明の技術思想を逸脱しない範囲内において種々の改変を行なうことができる。
【００４９】
例えば、上述した実施形態では、１つの照明器具本体１０に対して、１つの光源ユニット２０を取り付けたが、これに限定されず、１つの照明器具本体１０に対して、短い光源ユニットを複数直列に取り付けてもよい。この場合、隣接する光源ユニット同士をコネクタ２１を介して密着して配置させてもよいし、所定の間隔をおいて複数の光源ユニットを配置し、隣接する光源ユニット同士を電源ケーブルを介して電気的に接続する構成としてもよい。
【００５０】
また、上述した実施形態では、前面部１２ａが、倒した状態（閉状態）のフラップ１１の最も高い部分と略同じ高さを有するもの、すなわち、内底部１２ｃから上方に向けて延出するものであるとして説明したが、これに限定されず、底面部の厚み（外底部１２ｂと内底部１２ｃとの間の距離）と略同じ高さを有する構成、すなわち、内底部１２ｃから上方に向けて延出しない構成としても良い。
【符号の説明】
【００５１】
１  照明器具、１０  照明器具本体、１１  フラップ、１２  ベース部材、２０  光源ユニット、３０（３０ａ，３０ｂ）  端部キャップ、４０  取付ねじ、５０  連結パーツ
【図１】
2019164917.tif 000003
【図２】
2019164917.tif 000004
【図３】
2019164917.tif 000005
【図４】
2019164917.tif 000006
【図５】
2019164917.tif 000007
【図６】
2019164917.tif 000008
【図７】
2019164917.tif 000009
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
設置面と平行な方向に向けて開口する収容空間を有する長尺状の照明器具本体と、
前記照明器具本体の長手方向に沿って前記収容空間に収容され、該照明器具本体の外部に向けて照明光を照射する長尺状の光源ユニットと、
前記照明器具本体の前面部の上端部に回動自在に取り付けられたフラップと
を備え、
前記照明器具本体は、前記収容空間を形成する背面部、底面部及び前記前面部を有し、
前記背面部には、前記照明器具本体を前記設置面に取り付けるための締結手段が取り付けられる取付穴が形成されており、
前記背面部及び前記底面部は、一体として形成されており、
前記前面部は、前記背面部の高さよりも低く、
前記フラップは、前記照明器具本体の前記背面部の前記取付穴を遮らないよう倒れた閉状態と、前記収容空間に収容された前記光源ユニットを目隠しするよう立ち上がった開状態との間において回動可能に構成されている
ことを特徴とする照明器具。
【請求項２】
前記フラップは、前記照明器具本体の長手方向と同方向に延びる長尺な板状に形成されており、長手方向に延びる縁のうち一方の縁が、前記前面部の前記上端部に回動自在に取り付けられ、他方の縁が、前記底面部に向かって屈曲している
ことを特徴とする請求項１に記載の照明器具。
【請求項３】
前記フラップは、長手方向に延びる縁のうち一方の縁に、長手方向に沿って延びる円柱状に形成された支持軸を有しており、
前記前面部の前記上端部は、前記フラップの前記支持軸が回動自在な状態で嵌合可能な凹状に形成されている
ことを特徴とする請求項１又は２に記載の照明器具。
【請求項４】
前記支持軸は、前記前面部の前記上端部に向けて開口し、かつ、軸方向に沿って延びる切欠きを有しており、
前記照明器具本体は、前記支持軸の前記切欠き内に挿入された線バネを備え、
前記線バネは、前記閉状態及び前記開状態において前記フラップを前記前面部の前記上端部に対して付勢することが可能な湾曲形状を有している
ことを特徴とする請求項３に記載の照明器具。
【請求項５】
前記取付穴は、前記照明器具本体の長手方向沿って複数形成されている
ことを特徴とする請求項１〜４いずれか１項に記載の照明器具。
【請求項６】
前記照明器具本体の長手方向の端部に装着可能に構成された連結部材を更に備え、
前記連結部材は、隣接する照明器具本体同士を互いに連結可能に構成されている
ことを特徴とする請求項１〜５いずれか１項に記載の照明器具。
【請求項７】
前記光源ユニットは、前記照明器具本体に対して着脱可能に構成されている
ことを特徴とする請求項１〜６いずれか１項に記載の照明器具。